(57)【特許請求の範囲】
【請求項１】
無線端末からの参照信号に基づいて、前記無線端末に対する制御を行う無線基地局であって、
前記無線端末の数が、前記参照信号の送信周波数帯の数より多い場合に、前記参照信号の送信の優先度が低いと見なされる第１の無線端末に対して、前記参照信号の送信停止を指示する情報を送信する制御部を備える無線基地局。
【請求項２】
前記制御部は、前記第１の無線端末よりも、前記参照信号の送信の優先度が低いと見なされる第２の無線端末が存在する場合、前記第１の無線端末に対して、前記参照信号の送信再開を指示する情報を送信する請求項１に記載の無線基地局。
【請求項３】
前記参照信号の送信停止を指示する情報を受信したことを示す応答の情報を前記第１の無線端末から受信する受信部を備える請求項１に記載の無線基地局。
【請求項４】
前記制御部は、前記無線端末による無線通信の状態を示す指標に基づいて、前記指標の最も低い前記第１の無線端末を選択する請求項１に記載の無線基地局。
【請求項５】
前記制御部は、前記無線端末毎のＰＦ（Propotional Fair）方式の指標に基づいて、前記第１の無線端末を選択する請求項１に記載の無線基地局。
【請求項６】
前記制御部は、ラウンドロビン方式により、前記第１の無線端末を選択する請求項１に記載の無線基地局。
【請求項７】
無線端末からの参照信号に基づいて、前記無線端末に対する制御を行う無線基地局における通信制御方法であって、
前記無線端末の数が、前記参照信号の送信周波数帯の数より多い場合に、前記参照信号の送信の優先度が低いと見なされる第１の無線端末に対して、前記参照信号の送信停止を指示する情報を送信するステップを含む通信制御方法。
【発明の詳細な説明】
【技術分野】
【０００１】
本発明は、無線端末からの参照信号に基づいて、前記無線端末に対する制御を行う無線基地局、及び、当該無線基地局における通信制御方法に関する。
【背景技術】
【０００２】
３ＧＰＰ（Third Generation Partnership Project）において、現在、規格策定中のＬＴＥ（Long Term Evolution）に対応する無線通信システムでは、無線基地局ｅＮＢと無線端末ＵＥとの間の無線通信において、無線基地局ｅＮＢが無線リソースの割り当てを行っている（例えば、非特許文献１参照）。また、ＬＴＥに対応する無線通信システムでは、無線基地局ｅＮＢと無線端末ＵＥとの間の無線通信に、周波数分割複信（ＦＤＤ：Firequency Division Duplex）と、時分割複信（ＴＤＤ：Time Division Duplex）との何れかが採用される。
【０００３】
更に、ＴＤＤを採用するＬＴＥ（ＴＤＤ−ＬＴＥ）の無線通信システムでは、無線基地局ｅＮＢと、移動する無線端末ＵＥとの間の通信品質を確保すべく、無線基地局ｅＮＢが、下りの無線信号の送信時に無線端末ＵＥの方向へ適応的にビームを向ける制御（アダプティブアレイ制御）を行うことが検討されている。
【先行技術文献】
【非特許文献】
【０００４】
【非特許文献１】3GPP TS 36.211 V8.7.0 ”Physical Channels and Moduration”, MAY 2009
【発明の概要】
【発明が解決しようとする課題】
【０００５】
アンテナウェイトの算出手法として、以下の手法が想定される。すなわち、無線基地局ｅＮＢは、無線端末ＵＥからの上りの無線信号であるサウンディング参照信号（ＳＲＳ）を受信する場合に、無線基地局ｅＮＢが最新に受信したＳＲＳの周波数帯と同一の周波数帯の下りの無線リソース（下りリソースブロック）を、当該最新に受信したＳＲＳの送信元の無線端末ＵＥに割り当てる。更に、無線基地局ｅＮＢは、割り当てた下りリソースブロックに対するアンテナウェイトを算出する。一方、周辺の他の無線基地局ｅＮＢは、ＳＲＳを受信した場合、ヌルステアリングを行い、当該ＳＲＳの送信元の無線端末ＵＥに対して、ヌルが向くようにアンテナウェイトを算出する。
【０００６】
この場合、無線端末ＵＥは、仕様に従って、定期的にＳＲＳを送信する。しかし、無線基地局ｅＮＢに接続している多くの無線端末ＵＥがＳＲＳを送信すると、同一のタイミングで、同一の周波数帯にＳＲＳが重複（多重）してしまう。このため、周辺の他の無線基地局ｅＮＢは、ＳＲＳの送信元を一意に決定できず、ヌルを向けることができない。
【０００７】
上記問題点に鑑み、本発明は、周辺の無線基地局による適切なヌルステアリングを可能とした無線基地局及び通信制御方法を提供することを目的とする。
【課題を解決するための手段】
【０００８】
上述した課題を解決するために、本発明は以下のような特徴を有している。本発明の第１の特徴は、無線端末（無線端末ＵＥ２−１、無線端末ＵＥ２−２、無線端末ＵＥ２−３、無線端末ＵＥ２−４）からの参照信号（ＳＲＳ）に基づいて、前記無線端末に対する制御を行う無線基地局（ｅＮＢ１−１）であって、前記無線端末の数が、前記参照信号の送信周波数帯の数より多い場合に、前記参照信号の送信の優先度が低いと見なされる第１の無線端末に対して、前記参照信号の送信停止を指示する情報（RRC Connection Reconfiguration）を送信する制御部（制御部１０２）を備えることを要旨とする。
【０００９】
このような無線基地局は、無線端末の数が、参照信号の送信周波数帯の数より多い場合に、参照信号の送信の優先度が低いと見なされる無線端末に対して、参照信号の送信停止を指示する情報を送信する。従って、参照信号を送信する無線端末の数は、参照信号の送信周波数帯の数以下となり、同一のタイミングで、同一の周波数帯に参照信号が重複してしまうことが防止される。このため、周辺の他の無線基地局は、参照信号の送信元を一意に決定でき、適切なヌルステアリングが可能となる。
【００１０】
本発明の第２の特徴は、前記制御部は、前記第１の無線端末よりも、前記参照信号の送信の優先度が低いと見なされる第２の無線端末が存在する場合、前記第１の無線端末に対して、前記参照信号の送信再開を指示する情報（RRC Connection Reconfiguration）を送信することを要旨とする。
【００１１】
本発明の第３の特徴は、前記参照信号の送信停止を指示する情報を受信したことを示す応答の情報（RRC Connection Reconfiguration Complete）を前記第１の無線端末から受信する受信部（制御部１０２）を備えることを要旨とする。
【００１２】
本発明の第４の特徴は、前記制御部は、前記無線端末による無線通信の状態を示す指標に基づいて、前記指標の最も低い前記第１の無線端末を選択することを要旨とする。
【００１３】
本発明の第５の特徴は、前記制御部は、前記無線端末毎のＰＦ（Propotional Fair）方式の指標に基づいて、前記第１の無線端末を選択することを要旨とする。
【００１４】
本発明の第６の特徴は、前記制御部は、ラウンドロビン方式により、前記第１の無線端末を選択することを要旨とする。
【００１５】
本発明の第７の特徴は、無線端末からの参照信号に基づいて、前記無線端末に対する制御を行う無線基地局における通信制御方法であって、前記無線端末の数が、前記参照信号の送信周波数帯の数より多い場合に、前記参照信号の送信の優先度が低いと見なされる第１の無線端末に対して、前記参照信号の送信停止を指示する情報を送信するステップを含むことを要旨とする。
【発明の効果】
【００１６】
本発明によれば、周辺の無線基地局による適切なヌルステアリングが可能となる。
【図面の簡単な説明】
【００１７】
【図１】本発明の実施形態に係る無線通信システムの全体概略構成図である。
【図２】本発明の実施形態に係る、リソースブロックのフォーマットを示す図である。
【図３】本発明の実施形態に係る、フレームのフォーマットを示す図である。
【図４】本発明の実施形態に係る、無線基地局と無線端末との間の無線通信において利用可能な周波数帯の構成を示す図である。
【図５】本発明の実施形態に係る、無線基地局の構成図である。
【図６】本発明の実施形態に係る、無線端末の配置の第１の例を示す図である。
【図７】本発明の実施形態に係る、ＳＲＳ送信周波数帯の設定及び配置の第１の例を示す図である。
【図８】本発明の実施形態に係る、無線端末の配置の第２の例を示す図である。
【図９】本発明の実施形態に係る、ＳＲＳ送信周波数帯の設定及び配置の第２の例を示す図である。
【図１０】本発明の実施形態に係る、無線基地局の第１の動作を示すフローチャートである。
【図１１】本発明の実施形態に係る、無線基地局の第２の動作を示すフローチャートである。
【図１２】本発明の実施形態に係る、無線基地局の第３の動作を示すフローチャートである。
【発明を実施するための形態】
【００１８】
次に、図面を参照して、本発明の実施形態を説明する。具体的には、（１）無線通信システムの構成、（２）無線基地局の構成、（３）無線基地局の動作、（４）作用・効果、（５）その他の実施形態について説明する。以下の実施形態における図面の記載において、同一又は類似の部分には同一又は類似の符号を付している。
【００１９】
（１）無線通信システムの構成
図１は、本発明の実施形態に係る無線通信システム１０の全体概略構成図である。
【００２０】
図１に示す無線通信システム１０は、ＴＤＤ−ＬＴＥの無線通信システムである。無線通信システム１０は、無線基地局ｅＮＢ１−１と、無線端末ＵＥ２−１、無線端末ＵＥ２−２、無線端末ＵＥ２−３及び無線端末ＵＥ２−４とを含む。
【００２１】
図１において、無線基地局ｅＮＢ１−１は、Ｅ−ＵＴＲＡＮ（Evolved-UMTS Terrestrial Radio Access Network）を構成する。無線端末ＵＥ２−１乃至無線端末ＵＥ２−４は、無線基地局ｅＮＢ１−１が提供する通信可能エリアであるセル３−１に存在する。
【００２２】
無線端末ＵＥ２−１乃至無線端末ＵＥ２−４は、無線基地局ｅＮＢ１−１によるリソースブロックの割り当て対象である。この場合、無線基地局ｅＮＢ１−１を基準とすると、無線端末ＵＥ２−１乃至無線端末ＵＥ２−４は、サービング無線端末である。以下、無線基地局ｅＮＢ１−１によるリソースブロックの割り当て対象の無線端末を、適宜サービング無線端末ＵＥ２と称する。
【００２３】
無線基地局ｅＮＢ１−１と無線端末ＵＥ２−１乃至無線端末ＵＥ２−４との間の無線通信には、時分割複信が採用されるとともに、下りの無線通信にはＯＦＤＭＡ（Orthogonal Frequency Division Multiplexing Access）、上りの無線通信にはＳＣ−ＦＤＭＡ（Single Carrier Frequency Division Multiple Access）が採用される。ここで、下りとは、無線基地局ｅＮＢ１−１から無線端末ＵＥ２−１乃至無線端末ＵＥ２−４へ向かう方向を意味する。上りとは、無線端末ＵＥ２−１乃至無線端末ＵＥ２−４から無線基地局ｅＮＢ１−１へ向かう方向を意味する。
【００２４】
無線基地局ｅＮＢ１−１は、セル３−１内のサービング無線端末ＵＥ２に対して、無線リソースとしてのリソースブロック（ＲＢ：Resource Block）を割り当てる。
【００２５】
リソースブロックは、下りの無線通信に用いられる下りリソースブロック（下りＲＢ）と、上りの無線通信に用いられる上りリソースブロック（上りＲＢ）とがある。複数の下りリソースブロックは、周波数方向及び時間方向に配列される。同様に、複数の上りリソースブロックは、周波数方向及び時間方向に配列される。
【００２６】
図２は、リソースブロックのフォーマットを示す図である。図２に示すように、リソースブロックは、時間方向では、１［ｍｓ］の時間長を有する１つのサブフレームによって構成される。サブフレームは、時間帯Ｓ１乃至時間帯Ｓ１４からなる。これら時間帯Ｓ１乃至時間帯Ｓ１４のうち、時間帯Ｓ１乃至時間帯Ｓ７は、前半のタイムスロット（タイムスロット１）を構成し、時間帯Ｓ８乃至時間帯Ｓ１４は、後半のタイムスロット（タイムスロット２）を構成する。
【００２７】
図２に示すように、リソースブロックは、周波数方向では、１８０［ｋＨｚ］の周波数幅を有する。また、リソースブロックは、１５［ｋＨｚ］の周波数幅を有する１２個のシンボルキャリアＦ１乃至Ｆ１２からなる。
【００２８】
また、時間方向においては、複数のサブフレームによって１つのフレームが構成される。図３は、フレームのフォーマットを示す図である。図３に示すフレームは、１０個のサブフレームによって構成される。フレームには、１０個のサブフレームが、下りリソースブロックのサブフレーム、下りリソースブロック及び上りリソースブロック双方のサブフレーム（スペシャルサブフレーム：ＳＳＦ）、上りリソースブロックのサブフレーム、上りリソースブロックのサブフレーム、下りリソースブロックのサブフレーム、下りリソースブロックのサブフレーム、スペシャルサブフレーム、上りリソースブロックのサブフレーム、上りリソースブロックのサブフレーム、下りリソースブロックのサブフレームの順で含まれている。
【００２９】
また、周波数方向においては、無線基地局ｅＮＢ１−１とサービング無線端末ＵＥ２との間の無線通信において利用可能な周波数帯は、複数のリソースブロック分の帯域を有している。また、周波数帯は、リソースブロックの４の倍数の個数の周波数帯に分割される。図４は、無線基地局ｅＮＢ１−１とサービング無線端末ＵＥ２との間の無線通信において利用可能な周波数帯の構成を示す図である。図４に示すように、無線基地局ｅＮＢ１−１とサービング無線端末ＵＥ２との間の無線通信において利用可能な周波数帯は、８０個のリソースブロック分の帯域を有する。また、周波数帯は、２０個のリソースブロック分の帯域を有する大周波数帯１乃至大周波数帯４に区分されている。また、周波数帯は、大周波数帯の何れかに代えて、４個のリソースブロック分の帯域を有する周波数帯（小周波数帯１乃至小周波数帯５）に区分可能である。
【００３０】
下りリソースブロックは、時間方向に、下りの制御情報伝送用の制御情報チャネル（ＰＤＣＣＨ：Physical Downlink Control CHannel）と、下り方向のユーザデータ伝送用の共有データチャネル（ＰＤＳＣＨ：Physical Downlink Shared CHannel）とにより構成される。
【００３１】
一方、上りリソースブロックは、上りの無線通信に使用可能な周波数帯の両端では、上りの制御情報伝送用の制御情報チャネル（ＰＵＣＣＨ：Physical Uplink Control CHannel）が構成され、中央部では、上りのユーザデータ伝送用の共有データチャネル（ＰＵＳＣＨ：Physical Uplink Shared CHannel）が構成される。
【００３２】
（２）無線基地局の構成
図５は、無線基地局ｅＮＢ１−１の構成図である。図５に示すように、無線基地局ｅＮＢ１−１は、複数のアンテナにアンテナウェイトを適用するアダプティブアレイ方式の無線基地局であり、制御部１０２、記憶部１０３、Ｉ／Ｆ部１０４、無線通信部１０６、変調・復調部１０７、アンテナ１０８Ａ、アンテナ１０８Ｂ、アンテナ１０８Ｃ、アンテナ１０８Ｄを含む。
【００３３】
制御部１０２は、例えばＣＰＵによって構成され、無線基地局ｅＮＢ１−１が具備する各種機能を制御する。制御部１０２は、サービング無線端末ＵＥ２から送信されるサウンディング参照信号（ＳＲＳ）に基づいて、当該サービング無線端末ＵＥ２に対する制御を行う。
【００３４】
記憶部１０３は、例えばメモリによって構成され、無線基地局ｅＮＢ１−１における制御などに用いられる各種情報を記憶する。
【００３５】
Ｉ／Ｆ部１０４は、Ｘ１インタフェースを介して、他の無線基地局ｅＮＢとの間で通信可能である。また、Ｉ／Ｆ部１０４は、Ｓ１インタフェースを介して、図示しないＥＰＣ（Evolved Packet Core）、具体的には、ＭＭＥ（Mobility Management Entity）／Ｓ−ＧＷ（Serving Gateway）と通信可能である。
【００３６】
無線通信部１０６は、アンテナ１０８Ａ乃至アンテナ１０８Ｄを介して、サービング無線端末ＵＥ２−１から送信される上り無線信号を受信する。更に、無線通信部１０６は、受信した上り無線信号をベースバンド信号に変換（ダウンコンバート）し、変調・復調部１０７へ出力する。
【００３７】
変調・復調部１０７は、入力されたベースバンド信号の復調及び復号処理を行う。これにより、無線端末ＵＥ２−１が送信した上り無線信号に含まれるデータが得られる。データは制御部１０２へ出力される。
【００３８】
また、変調・復調部１０７は、制御部１０２からのデータの符号化及び変調を行い、ベースバンド信号を得る。無線通信部１０６は、ベースバンド信号を下り無線信号に変換（アップコンバート）する。更に、変調・復調部１０７は、アンテナ１０８Ａ乃至アンテナ１０８Ｄを介して、下り無線信号を送信する。
【００３９】
次に、制御部１０２の具体的な処理を説明する。制御部１０２は、以下の第１の処理及び第２の処理を行う。
【００４０】
（第１の処理）
制御部１０２は、セル３−１内に存在するサービング無線端末ＵＥ２が所定の周波数帯域幅でＳＲＳを送信する際に必要な電力を判別する。サービング無線端末ＵＥ２が所定の周波数帯域幅でＳＲＳを送信する際に必要な電力（ＳＲＳ送信必要電力）は、無線基地局ｅＮＢ１−１が、ＳＲＳを、信号誤り等無く正常に受信可能な電力である。ＳＲＳ送信必要電力は、一般に、無線基地局ｅＮＢ１−１から遠いほど、大きくなる。
【００４１】
制御部１０２は、各サービング無線端末ＵＥ２のＳＲＳ送信必要電力に応じて、使用可能周波数帯に区分（周波数帯区分）を設定する。具体的には、制御部１０２は、ＳＲＳ送信必要電力が所定値未満であるサービング無線端末ＵＥ２が存在する場合には、使用可能周波数帯を複数の大周波数帯に区分する。更に、制御部１０２は、ＳＲＳ送信必要電力が所定値以上であるサービング無線端末ＵＥ２が存在する場合には、大周波数帯の何れかに代えて、複数の小周波数帯に区分する。
【００４２】
次に、制御部１０２は、使用可能周波数帯にＳＲＳの送信周波数帯を配置する。具体的には、制御部１０２は、使用可能周波数帯に設定した周波数帯区分に従って、大周波数帯の帯域幅及び小周波数帯の帯域幅を有するＳＲＳの送信周波数帯を配置する。
【００４３】
次に、制御部１０２は、サービング無線端末ＵＥ２毎に、ＳＲＳ送信周波数帯を設定する。具体的には、制御部１０２は、ＳＲＳ送信必要電力が所定値未満であるサービング無線端末ＵＥ２に対して、大周波数帯に対応するＳＲＳ送信周波数帯を設定する。また、制御部１０２は、ＳＲＳ送信必要電力が所定値以上であるサービング無線端末ＵＥ２に対して、小周波数帯に対応するＳＲＳ送信周波数帯を設定する。
【００４４】
次に、制御部１０２は、変調・復調部１０７、無線通信部１０６、アンテナ１０８Ａ乃至アンテナ１０８Ｄを介して、サービング無線端末ＵＥ２に対して、ＳＲＳ送信周波数帯情報を送信する。ＳＲＳ送信周波数帯情報は、例えば、対応するＳＲＳの送信周波数帯の上限の周波数及び下限の周波数の数値を含む。サービング無線端末ＵＥ２は、ＳＲＳ送信周波数帯情報を受信すると、スペシャルサブフレームのタイミングにおいて、ＳＲＳ送信周波数帯情報によって指定された周波数帯を用いてＳＲＳを送信する。
【００４５】
この際、サービング無線端末ＵＥ２は、周波数ホッピング方式により、スペシャルサブフレームのタイミングの都度、ＳＲＳ送信周波数帯を切り替えながらＳＲＳを送信する。
【００４６】
本実施形態では、周波数ホッピング方式における切り替え順序は、各サービング無線端末ＵＥ２で共通である。本実施形態では、図４に示す大周波数帯１、大周波数帯３、大周波数帯２、大周波数帯４の順序で切り替えられ、その後、再び、大周波数帯１に戻るという周期的な切り替え順序となる。但し、同一のタイミングにおける各サービング無線端末ＵＥ２のＳＲＳ送信周波数帯は異なる。従って、所定のスペシャルサブフレームのタイミングにおけるＳＲＳ送信周波数帯を、サービング無線端末ＵＥ２毎に異ならせて設定することにより、所定のスペシャルサブフレームの後の各スペシャルサブフレームにおけるＳＲＳ送信周波数帯は、サービング無線端末ＵＥ２毎に異なることになる。
【００４７】
また、小周波数帯においても、大周波数帯と同様に、周波数ホッピング方式が採用される。更に、５つの小周波数帯は、１つの大周波数帯として扱われ、他の大周波数帯とともに、周波数ホッピング方式が採用される。
【００４８】
その後、制御部１０２は、最新に受信したＳＲＳの周波数帯と同一の周波数帯の下りリソースブロックを、当該最新に受信したＳＲＳの送信元のサービング無線端末ＵＥ２に割り当てる。更に、制御部１０２は、割り当てた下りリソースブロックに対するアンテナウェイトを算出する。
【００４９】
一方、図示しない周辺の他の無線基地局ｅＮＢは、ＳＲＳを受信した場合、ヌルステアリングを行い、当該ＳＲＳの送信元の無線端末ＵＥ２（無線基地局ｅＮＢ１−１についてのサービング無線端末ＵＥ２）に対して、ヌルが向くようにアンテナウェイトを算出する。
【００５０】
（第２の処理）
第２の処理は、第１の処理によってサービング無線端末ＵＥ２に対してＳＲＳ送信周波数帯が設定された後、所定の条件下で行われる。第２の処理は、大周波数帯及び小周波数帯のそれぞれについて、別個独立に行われる。
【００５１】
制御部１０２は、サービング無線端末ＵＥ２の数がＳＲＳ送信周波数帯の数より多いか否かを判定する。大周波数帯について処理を行う場合には、制御部１０２は、大周波数帯に対応するＳＲＳ送信周波数帯を設定したサービング無線端末ＵＥ２の数が、大周波数帯の帯域幅を有するＳＲＳの送信周波数帯の数より多いか否かを判定する。小周波数帯について処理を行う場合には、制御部１０２は、小周波数帯に対応するＳＲＳ送信周波数帯を設定したサービング無線端末ＵＥ２の数が、小周波数帯の帯域幅を有するＳＲＳの送信周波数帯の数より多いか否かを判定する。
【００５２】
サービング無線端末ＵＥ２の数がＳＲＳ送信周波数帯の数より多い場合には、制御部１０２は、各サービング無線端末ＵＥ２のＰＦ（Propotional Fair）値を比較する。ＰＦ値は、サービング無線端末ＵＥ２による無線通信の状態を示す指標である。大周波数帯について処理を行う場合には、制御部１０２は、大周波数帯に対応するＳＲＳ送信周波数帯を設定した各サービング無線端末ＵＥ２のＰＦ値を比較する。小周波数帯について処理を行う場合には、制御部１０２は、小周波数帯に対応するＳＲＳ送信周波数帯を設定したサービング無線端末ＵＥ２のＰＦ値を比較する。
【００５３】
次に、制御部１０２は、ＰＦ値が最小のサービング無線端末ＵＥ２から順にＳＲＳ送信周波数帯の数を超過する数のサービス無線端末ＵＥ２を選択し、選択したサービス無線端末ＵＥ２へＳＲＳの送信停止を指示する情報（送信停止指示情報）を含んだメッセージであるRRC Connection Reconfigurationを送信する。ここでは、ＳＲＳ送信周波数帯の数を超過するサービング無線端末ＵＥ２が１つであったとする。大周波数帯について処理を行う場合には、制御部１０２は、大周波数帯に対応するＳＲＳ送信周波数帯を設定した各サービング無線端末ＵＥ２のうち、ＰＦ値が最小のサービング無線端末ＵＥ２へ送信停止指示情報を含んだRRC Connection Reconfigurationを送信する。小周波数帯について処理を行う場合には、制御部１０２は、小周波数帯に対応するＳＲＳ送信周波数帯を設定した各サービング無線端末ＵＥ２のうち、ＰＦ値が最小のサービング無線端末ＵＥ２へ送信停止指示情報を含んだRRC Connection Reconfigurationを送信する。
【００５４】
サービング無線端末ＵＥ２は、送信停止指示情報を含んだRRC Connection Reconfigurationを受信すると、ＳＲＳの送信を停止する。
【００５５】
次に、制御部１０２は、大周波数帯についての処理時と小周波数帯についての処理時とのそれぞれにおいて、送信停止指示情報を含んだRRC Connection Reconfigurationの送信先であるサービング無線端末ＵＥ２からの応答である、送信停止指示の応答の情報（送信停止指示応答情報）を含んだメッセージである、RRC Connection Reconfiguration Completeを受信したか否かを判定する。
【００５６】
RRC Connection Reconfiguration Completeを受信した場合、制御部１０２は、RRC Connection Reconfiguration Completeの送信元であるサービング無線端末ＵＥ２以外のサービング無線端末ＵＥ２のうち、少なくともＳＲＳの送信を開始するサービング無線端末（他のサービング無線端末）ＵＥ２に対して、変調・復調部１０７、無線通信部１０６及びアンテナ１０８Ａ乃至アンテナ１０８Ｄを介して、ＳＲＳ送信周波数帯情報を含んだメッセージであるRRC Connection Reconfigurationを送信する。大周波数帯について処理を行う場合には、制御部１０２は、大周波数帯に対応するＳＲＳ送信周波数帯を設定した各サービング無線端末ＵＥ２であって、且つ、RRC Connection Reconfiguration Completeの送信元であるサービング無線端末ＵＥ２以外のサービング無線端末ＵＥ２のうち、少なくともＳＲＳの送信を開始するサービング無線端末（他のサービング無線端末）ＵＥ２に対して、ＳＲＳ送信周波数帯情報を含んだメッセージであるRRC Connection Reconfigurationを送信する。小周波数帯について処理を行う場合には、制御部１０２は、小周波数帯に対応するＳＲＳ送信周波数帯を設定した各サービング無線端末ＵＥ２であって、且つ、RRC Connection Reconfiguration Completeの送信元であるサービング無線端末ＵＥ２以外のサービング無線端末ＵＥ２のうち、少なくともＳＲＳの送信を開始するサービング無線端末（他のサービング無線端末）ＵＥ２に対して、ＳＲＳ送信周波数帯情報を含んだメッセージであるRRC Connection Reconfigurationを送信する。
【００５７】
その後、制御部１０２は、各サービング無線端末ＵＥ２のＰＦ値を比較する。大周波数帯について処理を行う場合には、制御部１０２は、大周波数帯に対応するＳＲＳ送信周波数帯を設定した各サービング無線端末ＵＥ２のＰＦ値を比較する。小周波数帯について処理を行う場合には、制御部１０２は、小周波数帯に対応するＳＲＳ送信周波数帯を設定したサービング無線端末ＵＥ２のＰＦ値を比較する。
【００５８】
次に、制御部１０２は、大周波数帯についての処理時と、小周波数帯についての処理時とのそれぞれにおいて、前回のＰＦ値の比較時に選択したＳＲＳの送信を停止させたサービス無線端末ＵＥ２と、今回のＰＦ値の比較時に選択したＳＲＳの送信を停止させるサービス無線端末ＵＥ２とにおいて、選択したサービス無線端末ＵＥ２が変わったか否か判定する。ここでは、前回のＰＦ値の比較時と、今回のＰＦ値の比較時とにおいて、ＰＦ値が最小のサービング無線端末ＵＥ２が交代したか否かを判定する。
【００５９】
ＰＦ値が最小のサービング無線端末ＵＥ２がＳＲＳを送信しているサービス無線端末ＵＥ２に交代した場合、新たなＰＦ値（今回の比較時のＰＦ値）が最小のサービング無線端末ＵＥ２へ送信停止指示情報を含んだメッセージであるRRC Connection Reconfigurationを送信する。大周波数帯について処理を行う場合には、制御部１０２は、大周波数帯に対応するＳＲＳ送信周波数帯を設定した各サービング無線端末ＵＥ２のうち、今回の比較時のＰＦ値が最小となったＳＲＳを送信しているサービング無線端末ＵＥ２へ送信停止指示情報を含んだRRC Connection Reconfigurationを送信する。小周波数帯について処理を行う場合には、制御部１０２は、小周波数帯に対応するＳＲＳ送信周波数帯を設定した各サービング無線端末ＵＥ２のうち、今回の比較時のＰＦ値が最小となったＳＲＳを送信しているサービング無線端末ＵＥ２へ送信停止指示情報を含んだRRC Connection Reconfigurationを送信する。
【００６０】
次に、制御部１０２は、ＳＲＳの送信を停止している元のＰＦ値（前回の比較時のＰＦ値）が最小のサービング無線端末ＵＥ２へＳＲＳの送信再開を指示する情報（送信再開指示情報）を含んだメッセージであるRRC Connection Reconfigurationを送信する。送信再開指示情報は、例えば、対応するＳＲＳの送信周波数帯の上限の周波数及び下限の周波数の数値を含む。
【００６１】
サービング無線端末ＵＥ２は、送信再開指示情報を受信すると、スペシャルサブフレームのタイミングにおいて、送信再開指示情報によって指定された周波数帯を用いてＳＲＳの送信を再開する。
【００６２】
次に、制御部１０２は、大周波数帯についての処理時と小周波数帯についての処理時とのそれぞれにおいて、送信停止指示情報を含んだRRC Connection Reconfigurationの送信先であるサービング無線端末ＵＥ２からの応答で、送信停止指示応答情報を含んだメッセージである、RRC Connection Reconfiguration Completeを受信したか否か、及び、送信再開指示情報を含んだRRC Connection Reconfigurationの送信先であるサービング無線端末ＵＥ２からの応答である、送信再開指示応答情報を含んだメッセージである、RRC Connection Reconfiguration Completeを受信したか否かを判定する。制御部１０２は、送信停止指示応答情報を含んだRRC Connection Reconfiguration Completeと、送信再開指示応答情報を含んだRRC Connection Reconfiguration Completeとを受信した場合、一連の処理を終了する。
【００６３】
その後、第１の処理時と同様、制御部１０２は、最新に受信したＳＲＳの周波数帯と同一の周波数帯の下りリソースブロックを、当該最新に受信したＳＲＳの送信元のサービング無線端末ＵＥ２に割り当てる。更に、制御部１０２は、割り当てた下りリソースブロックに対するアンテナウェイトを算出する。
【００６４】
一方、図示しない周辺の他の無線基地局ｅＮＢは、ＳＲＳを受信した場合、ヌルステアリングを行い、当該ＳＲＳの送信元の無線端末ＵＥ２（無線基地局ｅＮＢ１−１についてのサービング無線端末ＵＥ２）に対して、ヌルが向くようにアンテナウェイトを算出する。
【００６５】
以下、第２の処理の一例を説明する。図６に示すように、セル３−１内にサービング無線端末ＵＥ２−１乃至サービング無線端末ＵＥ２−４が既に存在している状況において、新たにセル３−１内にサービング無線端末ＵＥ２−５が進入する場合を考える。
【００６６】
ここで、サービング無線端末ＵＥ２−１乃至サービング無線端末ＵＥ２−５は、何れもＳＲＳ送信必要電力が所定値未満であり、送信可能周波数帯は、４つの大周波数帯に区分されているものとする。
【００６７】
この場合、図７に示すように、当初、サービング無線端末ＵＥ２−１乃至サービング無線端末ＵＥ２−４は、スペシャルサブフレーム２０１のタイミングにおいて、別の大周波数帯に対応する送信周波数のＳＲＳを送信している。その後、セル３−１内にサービング無線端末２−５が進入すると、サービング無線端末ＵＥ２の数は、ＳＲＳ送信周波数帯の数より１つ多くなる。このため、制御部１０２は、サービング無線端末ＵＥ２−１乃至サービング無線端末ＵＥ２−５のうち、ＰＦ値が最も低いサービング無線端末ＵＥ２（ここでは、サービング無線端末ＵＥ２−４とする）に対して、送信停止指示情報を含んだRRC Connection Reconfigurationを送信する。その後、スペシャルサブフレーム２０２及びスペシャルサブフレーム２０３のタイミングにおいて、サービング無線端末ＵＥ２−１乃至サービング無線端末ＵＥ２−４は、周波数ホッピング方式により、ＳＲＳ送信周波数帯を切り替えながらＳＲＳを送信する。
【００６８】
その後、制御部１０２は、サービング無線端末ＵＥ２−４からの送信停止指示応答情報を含んだRRC Connection Reconfiguration Completeを受信すると、サービング無線端末ＵＥ２−５に対して、ＳＲＳ送信周波数帯情報を送信する。その後、スペシャルサブフレーム２０４のタイミングにおいて、サービング無線端末ＵＥ２−５は、ＳＲＳの送信を開始し、サービング無線端末ＵＥ２−４は、ＳＲＳの送信を停止する。
【００６９】
更に、ＰＦ値が最も低いサービング無線端末ＵＥ２がＳＲＳを送信しているサービング無線端末ＵＥ２のいずれかに交代した場合（ここでは、ＳＲＳの送信を停止しているサービング無線端末ＵＥ２−４からＳＲＳを送信しているサービング無線端末ＵＥ２−３に交代した場合）、制御部１０２は、サービング無線端末ＵＥ２−４に対して、送信再開指示情報を含んだRRC Connection Reconfigurationを送信するとともに、サービング無線端末ＵＥ２−３に対して、送信停止指示情報を含んだRRC Connection Reconfigurationを送信する。その後、スペシャルサブフレーム２０５及びスペシャルサブフレーム２０６のタイミングにおいて、サービング無線端末ＵＥ２−１乃至サービング無線端末ＵＥ２−３、サービング無線端末ＵＥ２−５は、周波数ホッピング方式により、ＳＲＳ送信周波数帯を切り替えながらＳＲＳを送信する。
【００７０】
その後、制御部１０２は、サービング無線端末ＵＥ２−４からの送信再開指示応答情報を含んだRRC Connection Reconfiguration Completeを受信し、サービング無線端末ＵＥ２−３からの送信停止指示応答情報を含んだRRC Connection Reconfiguration Completeを受信する。その後、スペシャルサブフレーム２０７のタイミングにおいて、サービング無線端末ＵＥ２−４は、ＳＲＳの送信を再開し、サービング無線端末ＵＥ２−３は、ＳＲＳの送信を停止する。
【００７１】
また、図８に示すように、セル３−１内にサービング無線端末ＵＥ２−１乃至サービング無線端末ＵＥ２−４が既に存在している状況において、新たにセル３−１内にサービング無線端末ＵＥ２−５及びサービング無線端末ＵＥ２−６が進入する場合を考える。
【００７２】
ここで、サービング無線端末ＵＥ２−１乃至サービング無線端末ＵＥ２−３、サービング無線端末ＵＥ２−６は、ＳＲＳ送信必要電力が所定値未満であり、サービング無線端末ＵＥ２−４及びサービング無線端末ＵＥ２−５は、ＳＲＳ送信必要電力が所定値以上であって、送信可能周波数帯は、４つの大周波数帯と、５つの小周波数帯に区分されているものとする。
【００７３】
この場合、図９に示すように、当初、スペシャルサブフレーム２０１のタイミングにおいて、サービング無線端末ＵＥ２−１乃至サービング無線端末ＵＥ２−３は、別の大周波数帯に対応する送信周波数のＳＲＳを送信し、サービング無線端末ＵＥ２−４は、小周波数帯に対応する送信周波数のＳＲＳを送信している。その後、セル３−１内にサービング無線端末２−５及びサービング無線端末ＵＥ２−６が進入すると、ＳＲＳ送信必要電力が所定値未満のサービング無線端末ＵＥ２の数は、大周波数帯に対応するＳＲＳ送信周波数帯の数より１つ多くなる。このため、制御部１０２は、サービング無線端末ＵＥ２−１乃至サービング無線端末ＵＥ２−３、サービング無線端末ＵＥ２−６のうち、ＰＦ値が最も低いサービング無線端末ＵＥ２（ここでは、サービング無線端末ＵＥ２−３とする）に対して、送信停止指示情報を含んだRRC Connection Reconfigurationを送信する。一方、ＳＲＳ送信必要電力が所定値以上のサービング無線端末の数は、小周波数帯に対応するＳＲＳ送信周波数の数以下である。このため、制御部１０２は、サービング無線端末ＵＥ２−５に対して、ＳＲＳ送信周波数帯情報を送信する。
【００７４】
スペシャルサブフレーム２０２及びスペシャルサブフレーム２０３のタイミングにおいて、サービング無線端末ＵＥ２−１、サービング無線端末ＵＥ２−２及びサービング無線端末ＵＥ２−３は、周波数ホッピング方式により、大周波数帯に対応するＳＲＳ送信周波数帯を切り替えながらＳＲＳを送信する。また、スペシャルサブフレーム２０２乃至２０７のタイミングにおいて、ＳＲＳ送信必要電力が所定値以上であるサービング無線端末ＵＥ２−４は、周波数ホッピング方式により、小周波数帯に対応するＳＲＳ送信周波数帯を切り替えながらＳＲＳを送信する。更に、スペシャルサブフレーム２０３のタイミングにおいて、ＳＲＳ送信必要電力が所定値以上であるサービング無線端末ＵＥ２−５は、ＳＲＳの送信を開始し、スペシャルサブフレーム２０４乃至２０７のタイミングにおいて、ＳＲＳ送信必要電力が所定値未満であるサービング無線端末ＵＥ２−６は、周波数ホッピング方式により、大周波数帯に対応するＳＲＳ送信周波数帯を切り替えながらＳＲＳを送信する。
【００７５】
その後、制御部１０２は、サービング無線端末ＵＥ２−３からの送信停止指示応答情報を含んだRRC Connection Reconfiguration Completeを受信すると、サービング無線端末ＵＥ２−６に対して、ＳＲＳ送信周波数帯情報を送信する。その後、スペシャルサブフレーム２０４のタイミングにおいて、サービング無線端末ＵＥ２−６は、ＳＲＳの送信を開始し、サービング無線端末ＵＥ２−３は、ＳＲＳの送信を停止する。
【００７６】
更に、ＰＦ値が最も低いサービング無線端末ＵＥ２がＳＲＳを送信しているサービング無線端末ＵＥ２のいずれかに交代した場合（ここでは、ＳＲＳの送信を停止しているサービング無線端末ＵＥ２−３からＳＲＳを送信しているサービング無線端末ＵＥ２−２に交代した場合）、制御部１０２は、サービング無線端末ＵＥ２−３に対して、送信再開指示情報を含んだRRC Connection Reconfigurationを送信するとともに、サービング無線端末ＵＥ２−２に対して、送信停止指示情報を含んだRRC Connection Reconfigurationを送信する。
【００７７】
その後、制御部１０２は、サービング無線端末ＵＥ２−３からの送信再開指示応答情報を含んだRRC Connection Reconfiguration Completeを受信し、サービング無線端末ＵＥ２−２からの送信停止指示応答情報を含んだRRC Connection Reconfiguration Completeを受信する。その後、スペシャルサブフレーム２０７のタイミングにおいて、サービング無線端末ＵＥ２−３は、ＳＲＳの送信を再開し、サービング無線端末ＵＥ２−２は、ＳＲＳの送信を停止する。
【００７８】
（３）無線基地局の動作
図１０乃至図１２は、無線基地局ｅＮＢ１−１の動作を示すフローチャートである。図１０は、上述の第１の処理に対応し、図１１及び図１２は、上述の第２の処理に対応する。
【００７９】
図１０のステップＳ１０１において、制御部１０２は、セル３−１内に存在するサービング無線端末ＵＥ２が所定の周波数帯域幅でＳＲＳを送信する際に必要な電力（ＳＲＳ送信必要電力）を判別する。
【００８０】
ステップＳ１０２において、制御部１０２は、各サービング無線端末ＵＥ２のＳＲＳ送信必要電力に応じて、使用可能周波数帯に区分（周波数帯区分）を設定する。
【００８１】
ステップＳ１０３において、制御部１０２は、使用可能周波数帯にＳＲＳの送信周波数帯を配置する。
【００８２】
ステップＳ１０４において、制御部１０２は、使用可能周波数帯に設定した周波数帯区分に従って、大周波数帯の帯域幅及び小周波数帯の帯域幅を有するＳＲＳの送信周波数帯を配置する。
【００８３】
ステップＳ１０５において、制御部１０２は、サービング無線端末ＵＥ２毎に、ＳＲＳ送信周波数帯を設定する。
【００８４】
図１１のステップＳ２０１において、制御部１０２は、サービング無線端末ＵＥ２の数がＳＲＳ送信周波数帯の数より多いか否かを判定する。
【００８５】
サービング無線端末ＵＥ２の数がＳＲＳ送信周波数帯の数より多い場合には、ステップＳ２０２において、制御部１０２は、各サービング無線端末ＵＥ２のＰＦ値を比較する。
【００８６】
ステップＳ２０３において、制御部１０２は、ＰＦ値が最小のサービング無線端末ＵＥ２から順にＳＲＳ送信周波数帯の数を超過する数のサービス無線端末ＵＥ２を選択し、選択したサービス無線端末ＵＥ２へＳＲＳの送信停止を指示する情報（送信停止指示情報）を含んだメッセージであるRRC Connection Reconfigurationを送信する。なお、ここでは、判定の結果、サービング無線端末ＵＥ２の数が、ＳＲＳ送信周波数帯の数より１つ多いものとし、ＰＦ値が最小のサービング無線端末ＵＥ２へＳＲＳの送信停止を指示する情報（送信停止指示情報）を含んだメッセージであるRRC Connection Reconfigurationを送信するものとする。
【００８７】
ステップＳ２０４において、制御部１０２は、送信停止指示情報を含んだRRC Connection Reconfigurationの送信先であるサービング無線端末ＵＥ２からの応答である、送信停止指示の応答の情報（送信停止指示応答情報）を含んだメッセージである、RRC Connection Reconfiguration Completeを受信したか否かを判定する。
【００８８】
RRC Connection Reconfiguration Completeを受信した場合、ステップＳ２０５において、制御部１０２は、RRC Connection Reconfiguration Completeの送信元であるサービング無線端末ＵＥ２以外のサービング無線端末ＵＥ２のうち、少なくともＳＲＳの送信を開始するサービング無線端末（他のサービング無線端末）ＵＥ２に対して、ＳＲＳ送信周波数帯情報を含んだメッセージであるRRC Connection Reconfigurationを送信する。
【００８９】
図１２のステップＳ２１１において、制御部１０２は、各サービング無線端末ＵＥ２のＰＦ値を比較する。
【００９０】
ステップＳ２１２において、制御部１０２は、前回のＰＦ値の比較時に選択したＳＲＳの送信を停止させたサービス無線端末ＵＥ２と、今回のＰＦ値の比較時に選択したＳＲＳの送信を停止させるサービス無線端末ＵＥ２とにおいて、選択したサービス無線端末ＵＥ２が変化があったか否か、ここでは、ＰＦ値が最小のサービング無線端末ＵＥ２が交代したか否かを判定する。
【００９１】
ＰＦ値が最小のサービング無線端末ＵＥ２がＳＲＳを送信しているサービング無線端末ＵＥ２のいずれかに交代した場合、ステップＳ２１３において、制御部１０２は、新たにＳＲＳの送信を停止させる、ＳＲＳを送信中の新たなＰＦ値（今回の比較時のＰＦ値）が最小のサービング無線端末ＵＥ２へ送信停止指示情報を含んだメッセージであるRRC Connection Reconfigurationを送信する。
【００９２】
ステップＳ２１４において、制御部１０２は、ＳＲＳの送信を再開させる、元のＰＦ値（前回の比較時のＰＦ値）が最小のサービング無線端末ＵＥ２へＳＲＳの送信再開を指示する情報（送信再開指示情報）を含んだメッセージであるRRC Connection Reconfigurationを送信する。
【００９３】
ステップＳ２１５において、制御部１０２は、送信停止指示情報を含んだRRC Connection Reconfigurationの送信先であるサービング無線端末ＵＥ２からの応答である、送信停止指示応答情報を含んだメッセージである、RRC Connection Reconfiguration Completeを受信したか否か、及び、送信再開指示情報を含んだRRC Connection Reconfigurationの送信先であるサービング無線端末ＵＥ２からの応答である、送信再開指示応答情報を含んだメッセージである、RRC Connection Reconfiguration Completeを受信したか否かを判定する。制御部１０２は、送信停止指示応答情報を含んだRRC Connection Reconfiguration Completeと、送信再開指示応答情報を含んだRRC Connection Reconfiguration Completeとを受信した場合、一連の動作を終了する。
【００９４】
（４）作用・効果
本実施形態において、無線基地局ｅＮＢ１−１は、セル３−１内のサービング無線端末ＵＥ２の数が、送信可能周波数帯に設定されたＳＲＳの送信周波数帯の数より多い場合には、ＰＦ値が小さく、ＳＲＳの送信の優先度が低いと見なされるサービング無線端末ＵＥ２に対して、ＳＲＳの送信停止を指示する情報（送信停止指示情報）を含んだRRC Connection Reconfigurationを送信する。
【００９５】
従って、ＳＲＳを送信するサービング無線端末ＵＥ２の数は、送信可能周波数帯に設定されたＳＲＳの送信周波数帯の数以下となり、同一のタイミングで、同一の周波数帯にＳＲＳが重複してしまうことが防止される。このため、周辺の他の無線基地局ｅＮＢは、ＳＲＳの送信元を一意に決定でき、適切なヌルステアリングが可能となる。
【００９６】
また、無線基地局ｅＮＢ１−１は、送信停止指示情報を送信した後において、当該送信停止指示情報の送信先であるサービング無線端末（第１サービング無線端末）ＵＥ２よりもＰＦ値が小さく、ＳＲＳの送信の優先度が低いと見なされるサービング無線端末（第２サービング無線端末）ＵＥ２が存在する場合には、第１サービング無線端末に対して、ＳＲＳの送信再開を指示する情報（送信再開指示情報）を含んだRRC Connection Reconfigurationを送信する。
【００９７】
従って、無線基地局ｅＮＢ１−１は、ＰＦ値の変動に応じて、換言すれば、通信状態の変化に応じて、ＳＲＳの送信を停止すべきサービング無線端末ＵＥ２を適切に選択できる。
【００９８】
また、無線基地局ｅＮＢ１−１は、送信停止指示情報の送信先であるサービング無線端末ＵＥ２から、当該送信停止指示情報を受信したことを示す応答の情報（送信停止指示応答情報）を含んだRRC Connection Reconfigurationを送信する。
【００９９】
従って、無線基地局ｅＮＢ１−１は、サービング無線端末ＵＥ２が送信停止指示情報を確実に受信したことを認識できる。このため、無線基地局ｅＮＢ１−１は、送信停止指示応答情報の受信後に、当該送信停止指示応答情報の送信先以外のサービング無線端末ＵＥ２に対して、ＳＲＳ送信周波数帯情報を送信することで、同一のタイミングで、同一の周波数帯にＳＲＳが重複してしまうことが確実に防止される。
【０１００】
また、無線基地局ｅＮＢ１−１は、サービング無線端末ＵＥ２におけるＳＲＳの送信周波数帯の帯域幅に対応付けられるＳＲＳ送信必要電力に応じて、使用可能周波数帯に大周波数帯及び小周波数帯の配置を行う。
【０１０１】
従って、無線基地局ｅＮＢ１−１は、所定のタイミングにおいて、大周波数帯に対応するＳＲＳの送信周波数帯と、小周波数帯に対応するＳＲＳの送信周波数帯とを、使用可能周波数帯の異なる位置に配置することができる。このような制御により、同一のタイミングで、同一の周波数帯にＳＲＳが重複してしまうことが防止される。このため、周辺の他の無線基地局は、ＳＲＳの送信元を一意に決定でき、適切なヌルステアリングが可能となる。
【０１０２】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１０３】
上述した実施形態では、制御部１０２は、送信可能周波数帯を大周波数帯と小周波数帯とに区分した。しかし、制御部１０２は、送信可能周波数帯を３種類以上の帯域幅を有する周波数帯に区分してもよい。
【０１０４】
例えば、制御部１０２は、ＳＲＳ送信必要電力が第１の所定値以上であるサービング無線端末ＵＥ２と、ＳＲＳ送信必要電力が第１の所定値未満且つ第２の所定値以上であるサービング無線端末ＵＥ２と、ＳＲＳ送信必要電力が第２の所定値未満であるサービング無線端末ＵＥ２とが存在する場合、使用可能周波数帯を大周波数帯、中周波数帯、小周波数帯に区分する。
【０１０５】
更に、制御部１０２は、使用可能周波数帯に設定した周波数帯区分に従って、大周波数帯の帯域幅、中周波数帯の帯域幅、及び、小周波数帯の帯域幅を有するＳＲＳの送信周波数帯を配置する。
【０１０６】
次に、制御部１０２は、ＳＲＳ送信必要電力が第２の所定値未満であるサービング無線端末ＵＥ２に対して、大周波数帯に対応するＳＲＳ送信周波数帯を設定する。制御部１０２は、ＳＲＳ送信必要電力が第１の所定値未満且つ第２の所定値以上であるサービング無線端末ＵＥ２に対して、中周波数帯に対応するＳＲＳ送信周波数帯を設定する。制御部１０２は、ＳＲＳ送信必要電力が第１の所定値以上であるサービング無線端末ＵＥ２に対して、小周波数帯に対応するＳＲＳ送信周波数帯を設定する。
【０１０７】
また、上述した実施形態では、制御部１０２は、ＳＲＳの送信周波数帯の数を超過するサービング無線端末ＵＥ２の数が１つであったため、ＰＦ値の最も低いサービング無線端末ＵＥ２をＳＲＳの送信を停止すべきサービング無線端末ＵＥ２として選択した。しかし、ＳＲＳの送信周波数帯の数に対するサービング無線端末ＵＥ２の超過数が複数である場合には、制御部１０２は、超過する数のサービング無線端末ＵＥ２を、ＳＲＳの送信を停止すべきサービング無線端末ＵＥ２として選択してもよい。
【０１０８】
例えば、サービング無線端末ＵＥ２の数がＳＲＳの送信周波数帯の数より３多い場合、制御部１０２は、ＰＦ値が下位の３つのサービング無線端末ＵＥ２を、ＳＲＳの送信を停止すべきサービング無線端末ＵＥ２として選択する。更に、制御部１０２は、選択した３つのサービング無線端末ＵＥ２に対して、送信停止指示情報を含んだRRC Connection Reconfigurationを送信する。
【０１０９】
その後、ＰＦ値が下位の３つであるサービング無線端末ＵＥのうち、何れか１つが交代した場合には、制御部１０２は、新たにＰＦ値が下位の３つとなったサービング無線端末ＵＥ２に対して、送信停止指示情報を含んだRRC Connection Reconfigurationを送信し、ＰＦ値が下位３つでなくなったサービング無線端末ＵＥ２に対して、送信再開指示情報を含んだRRC Connection Reconfigurationを送信する。
【０１１０】
また、上述した実施形態では、制御部１０２は、ＰＦ値に基づいて、ＳＲＳの送信を停止すべきサービング無線端末ＵＥ２を選択した。しかし、制御部１０２は、サービング無線端末ＵＥ２の通信状態を示す他の指標に基づいて、指標の低いサービング無線端末ＵＥ２を、ＳＲＳの送信を停止すべきサービング無線端末ＵＥ２として選択してもよい。また、制御部１０２は、ラウンドロビン方式により、各サービング無線端末ＵＥ２を、順次、ＳＲＳの送信を停止すべきサービング無線端末ＵＥ２として選択してもよい。
【０１１１】
上述した実施形態では、ＴＤＤ−ＬＴＥの無線通信システムについて説明したが、無線端末に割り当てられる上り無線信号の周波数帯と、下り無線信号の周波数帯とが異なる、上下非対称通信が採用される無線通信システムであれば、同様に本発明を適用できる。
【０１１２】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１１３】
ｅＮＢ１−１…無線基地局、ＵＥ２−１、ＵＥ２−２、ＵＥ２−３、ＵＥ２−４、ＵＥ２−５、ＵＥ２−６…無線端末、３−１…セル、１０…無線通信システム、１０２…制御部、１０３…記憶部、１０４…Ｉ／Ｆ部、１０６…無線通信部、１０７…変調・復調部、１０８Ａ、１０８Ｂ、１０８Ｃ、１０８Ｄ…アンテナ
【図１】
0005629607.tif 000002
【図２】
0005629607.tif 000003
【図３】
0005629607.tif 000004
【図４】
0005629607.tif 000005
【図５】
0005629607.tif 000006
【図６】
0005629607.tif 000007
【図７】
0005629607.tif 000008
【図８】
0005629607.tif 000009
【図９】
0005629607.tif 000010
【図１０】
0005629607.tif 000011
【図１１】
0005629607.tif 000012
【図１２】
0005629607.tif 000013